【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
相手方ネットワーク端末と通信を行うネットワーク端末であって、
暗号化及び復号化のための鍵を管理する鍵管理手段と、
前記鍵管理手段が管理する鍵に含まれる第１の鍵を、前記相手方ネットワーク端末に赤外線で送信する赤外線送信手段と、
前記鍵管理手段が管理する鍵に含まれる第２の鍵を、前記鍵管理手段が管理する鍵を用いて、前記第１の鍵を用いて復号可能に、暗号化する処理、及び、第１のデータを、前記鍵管理手段が管理する鍵を用いて、前記第２の鍵を用いて復号可能に、暗号化する処理を行うデータ暗号化手段と、
前記暗号化された第２の鍵を、ネットワーク経由で前記相手方ネットワーク端末に送信する処理、及び、前記暗号化された第１のデータを、ネットワーク経由で前記相手方ネットワーク端末に送信する処理を行うネットワーク送信手段と
を有することを特徴とするネットワーク端末。
【請求項２】
前記相手方ネットワーク端末が前記送信された第２の鍵を用いて暗号化し、送信した第２のデータを、前記相手方ネットワーク端末からネットワーク経由で受信するネットワーク受信手段と、
前記受信された第２のデータを、前記鍵管理手段が管理する鍵を用いて復号化するデータ復号化手段と
をさらに有することを特徴とする請求項１に記載のネットワーク端末。
【請求項３】
相手方ネットワーク端末と通信を行うネットワーク端末であって、
前記相手方ネットワーク端末が管理する暗号化及び復号化のための鍵に含まれる第１の鍵を、前記相手方ネットワーク端末から赤外線で受信する赤外線受信手段と、
前記相手方ネットワーク端末が管理する鍵を用いて、前記第１の鍵を用いて復号可能に、暗号化した第２の鍵を、前記相手方ネットワーク端末からネットワーク経由で受信する処理、及び、前記相手方ネットワーク端末が管理する鍵を用いて、前記第２の鍵を用いて復号可能に、暗号化し、送信した第１のデータを、前記相手方ネットワーク端末からネットワーク経由で受信する処理を行うネットワーク受信手段と、
前記暗号化された第２の鍵を、前記赤外線で受信された第１の鍵を用いて復号化する処理、及び、前記受信された第１のデータを、前記復号化された第２の鍵を用いて復号化する処理を行うデータ復号化手段と
を有することを特徴とするネットワーク端末。
【請求項４】
第２のデータを、前記復号化された第２の鍵を用いて暗号化するデータ暗号化手段と、
前記暗号化された第２のデータを、ネットワーク経由で前記相手方ネットワーク端末に送信するネットワーク送信手段と
をさらに有することを特徴とする請求項３に記載のネットワーク端末。
【請求項５】
前記ネットワーク送信手段及び前記ネットワーク受信手段の少なくとも一方は、無線通信手段である
ことを特徴とする請求項１乃至４のいずれか１項に記載のネットワーク端末。
【請求項６】
相手方ネットワーク端末と通信を行うネットワーク端末の通信方法であって、
前記ネットワーク端末が管理する暗号化及び復号化のための鍵に含まれる第１の鍵を、前記相手方ネットワーク端末に赤外線で送信するステップと、
前記ネットワーク端末が管理する鍵に含まれる第２の鍵を、前記ネットワーク端末が管理する鍵を用いて、前記第１の鍵を用いて復号可能に、暗号化するステップと、
前記暗号化された第２の鍵を、ネットワーク経由で前記相手方ネットワーク端末に送信するステップと、
第１のデータを、前記ネットワーク端末が管理する鍵を用いて、前記第２の鍵を用いて復号可能に、暗号化するステップと、
前記暗号化された第１のデータを、ネットワーク経由で前記相手方ネットワーク端末に送信するステップと
を有することを特徴とする通信方法。
【請求項７】
前記相手方ネットワーク端末が前記送信された第２の鍵を用いて暗号化し、送信した第２のデータを、前記相手方ネットワーク端末からネットワーク経由で受信するステップと、
前記受信された第２のデータを、前記ネットワーク端末が管理する鍵を用いて復号化するデータ復号化手段と
を有することを特徴とする請求項６に記載の通信方法。
【請求項８】
相手方ネットワーク端末と通信を行うネットワーク端末の通信方法であって、
前記相手方ネットワーク端末が管理する暗号化及び復号化のための鍵に含まれる第１の鍵を、前記相手方ネットワーク端末から赤外線で受信するステップと、
前記相手方ネットワーク端末が管理する鍵を用いて、前記第１の鍵を用いて復号可能に、暗号化した第２の鍵を、前記相手方ネットワーク端末からネットワーク経由で受信するステップと、
前記暗号化された第２の鍵を、前記赤外線で受信された第１の鍵を用いて復号化するステップと、
前記相手方ネットワーク端末が管理する鍵を用いて、前記第２の鍵を用いて復号可能に、暗号化し、送信した第１のデータを、前記相手方ネットワーク端末からネットワーク経由で受信するステップと、
前記受信された第１のデータを、前記復号化された第２の鍵を用いて復号化するステップと
を有することを特徴とする通信方法。
【請求項９】
第２のデータを、前記復号化された第２の鍵を用いて暗号化するステップと、
前記暗号化された第２のデータを、ネットワーク経由で前記相手方ネットワーク端末に送信するステップと
を有することを特徴とする請求項８に記載の通信方法。
【請求項１０】
前記ネットワーク経由で送信するステップ及び前記ネットワーク経由で受信するステップの少なくとも一方は、無線通信によるステップである
ことを特徴とする請求項６乃至９のいずれか１項に記載の通信方法。
【手続補正２】
【補正対象書類名】明細書
【補正対象項目名】０００８
【補正方法】変更
【補正の内容】
【０００８】
参考例に係るネットワーク端末は、相手方ネットワーク端末と通信を行うネットワーク端末であって、暗号化及び復号化のための鍵を管理する鍵管理手段と、前記鍵管理手段が管理する鍵の内の少なくとも１つの鍵を、前記相手方ネットワーク端末に赤外線で送信する赤外線送信手段と、第１のデータを、前記鍵管理手段が管理する鍵を用いて、前記赤外線で送信された鍵を用いて復号可能に、暗号化するデータ暗号化手段と、前記暗号化された第１のデータを、ネットワーク経由で前記相手方ネットワーク端末に送信するネットワーク送信手段とを有することを特徴としている。
【手続補正３】
【補正対象書類名】明細書
【補正対象項目名】０００９
【補正方法】変更
【補正の内容】
【０００９】
また、他の参考例に係る他のネットワーク端末は、相手方ネットワーク端末と通信を行うネットワーク端末であって、前記相手方ネットワーク端末が管理する暗号化及び復号化のための鍵の内の少なくとも１つの鍵を、前記相手方ネットワーク端末から赤外線で受信する赤外線受信手段と、前記相手方ネットワーク端末が管理する鍵を用いて、前記赤外線で受信された鍵を用いて復号可能に暗号化し、送信した第１のデータを、前記相手方ネットワーク端末からネットワーク経由で受信するネットワーク受信手段と、前記受信された第１のデータを、前記赤外線で受信された鍵を用いて復号化するデータ復号化手段とを有することを特徴としている。
【手続補正４】
【補正対象書類名】明細書
【補正対象項目名】００１０
【補正方法】変更
【補正の内容】
【００１０】
本発明に係るネットワーク端末は、相手方ネットワーク端末と通信を行うネットワーク端末であって、暗号化及び復号化のための鍵を管理する鍵管理手段と、前記鍵管理手段が管理する鍵に含まれる第１の鍵を、前記相手方ネットワーク端末に赤外線で送信する赤外線送信手段と、前記鍵管理手段が管理する鍵に含まれる第２の鍵を、前記鍵管理手段が管理する鍵を用いて、前記第１の鍵を用いて復号可能に、暗号化する処理、及び、第１のデータを、前記鍵管理手段が管理する鍵を用いて、前記第２の鍵を用いて復号可能に、暗号化する処理を行うデータ暗号化手段と、前記暗号化された第２の鍵を、ネットワーク経由で前記相手方ネットワーク端末に送信する処理、及び、前記暗号化された第１のデータを、ネットワーク経由で前記相手方ネットワーク端末に送信する処理を行うネットワーク送信手段とを有することを特徴としている。